(57)【要約】【課題】位相制御方式による調光器の接続に伴うランプ消灯した際における電気エネルギの消費について、ユーザに認知させ、更なる省エネルギ化を図ることができる電球形ランプおよび照明装置を提供する。【解決手段】電球形ランプ１０は、位相制御された交流電力の供給を受け、当該交流電力を整流平滑して直流電力に変換する整流平滑回路１０４１と、直流電力の電圧を、位相角に応じた電圧に降圧する調光制御回路１０４２と、降圧された電力供給を受けて点灯する照明用ＬＥＤユニット１００とを有する。そして、調光制御回路１０４２は、降圧後の電圧値が予め設定された閾値以上の場合に、照明用ＬＥＤユニット１００へ電力供給を行い、電圧値が上記閾値よりも低く、且つ、０［Ｖ］よりも高い場合に、照明用ＬＥＤユニット１００への電力供給を停止して消灯させるとともに、警報用ＬＥＤユニット１１０を点灯させる。【選択図】図３
2010153111.tif 000002
【特許請求の範囲】
【請求項１】
位相制御された交流電力の供給を受け、当該供給された交流電力を整流平滑して直流電力に変換する整流平滑部と、
前記直流電力の電圧を、前記交流電力における位相角に応じた電圧に降圧または昇降圧する制御部と、
前記制御部から降圧または昇降圧された電力の供給を受けて点灯する照明用光源とを有し、
前記制御部は、
前記降圧または昇降圧された電力の電圧値が予め設定された閾値以上の場合に、前記照明用光源に当該電力を供給し、
前記降圧または昇降圧された電力の電圧値が前記閾値よりも低く、且つ、０Ｖよりも高い場合に、前記照明用光源への当該電力の供給を停止するとともに、前記電圧値が０Ｖよりも高い旨の警報を外部に発する
ことを特徴とする電球形ランプ。
【請求項２】
前記整流平滑部は、非絶縁型である
ことを特徴とする請求項１に記載の電球形ランプ。
【請求項３】
前記制御部には、前記照明用光源とは別に、警報用光源が設けられており、
前記警報は、前記警報用光源を点灯させることにより発せられる
ことを特徴とする請求項１または２に記載の電球形ランプ。
【請求項４】
前記照明用光源と、前記警報用光源とは、出射光の色が相違する
ことを特徴とする請求項３に記載の電球形ランプ。
【請求項５】
前記照明用光源および前記警報用光源は、ともにＬＥＤからなる
ことを特徴とする請求項３または４に記載の電球形ランプ。
【請求項６】
前記制御部には、前記電力流通路中に介挿されたスイッチング素子が含まれており、
前記照明用光源に対する電力の供給あるいは供給の停止を、前記スイッチング素子の開閉動作を以って実行する
ことを特徴とする請求項１から５の何れかに記載の電球形ランプ。
【請求項７】
前記照明用光源は、複数のＬＥＤが直列接続されてなる
ことを特徴とする請求項１から６の何れかに記載の電球形ランプ。
【請求項８】
前記照明用光源では、ｎ個のＬＥＤが直列接続されることにより構成されており、
前記ｎ個のＬＥＤにおける各々の点灯開始電圧がＶｆであるとき、
前記閾値は、（ｎ×Ｖｆ）により規定されている
ことを特徴とする請求項７に記載の電球形ランプ。
【請求項９】
位相制御により交流電力の波形の一部をカットする位相制御調光器と、
前記位相制御調光器から交流電力の供給を受けるランプとを有し、
前記ランプとして、請求項１から８の何れかの電球形ランプが適用されている
ことを特徴とする照明装置。
【発明の詳細な説明】
【技術分野】
【０００１】
本発明は、電球形ランプおよび照明装置に関し、特に省エネルギ効果の向上を図ることができる電球形ランプおよび照明装置に関する。
【背景技術】
【０００２】
近年、地球温暖化の防止を図るために省エネルギ化が求められている。照明の分野においても、省エネルギ化を図るために、従来の白熱電球などに代えて、より高いエネルギ効率を有するＬＥＤ（Ｌｉｇｈｔ  Ｅｍｉｔｔｉｎｇ  Ｄｉｏｄｅ）を光源に用いた電球形のランプ（以下では、「電球形ＬＥＤランプ」と記載する。）が研究開発されている（例えば、特許文献１，２などを参照）。
【０００３】
ところで、電球形ＬＥＤランプを従来の白熱電球の代替として広く普及させてゆこうとする場合においては、調光点灯に対する対応も必要となる。従来の電球形ＬＥＤランプを調光器に接続して用いる場合の構成を、図７を用い説明する。
図７に示すように、ＡＣ電力は、調光器９０を介して電球形ＬＥＤランプ８０の口金８０６ａ，８０６ｂに入力される。電球形ＬＥＤランプ８０は、口金８０６ａ，８０６ｂと、点灯回路ユニット８０４と、ＬＥＤユニット８００とを主な要素として構成されており、降圧コンバータ方式を以ってＬＥＤユニット８００を点灯させる。点灯回路ユニット８０４は、ダイオードブリッジ型の整流平滑回路８０４１と、調光制御回路８０４２と、ＩＰＤ（Ｉｎｔｅｌｌｉｇｅｎｔ  Ｐｏｗｅｒ  Ｄｅｖｉｃｅ）８０４３と、ＦＰＤ（Ｆａｓｔ  Ｒｅｃｏｖｅｒｙ  Ｄｉｏｄｅ）８０４４およびコイル８０４５とを備える。
【０００４】
なお、調光器９０としては、従来の白熱電球を対象とするトライアックによる位相制御方式を用いたものである。
図７に示す従来の電球形ＬＥＤランプ９０では、調光器９０により位相制御された電気エネルギが、点灯回路ユニット８０４の整流平滑回路８０４１へと入力される。整流平滑回路８０４１において、入力された電力は、平滑化され、調光制御回路８０４２へと入力される。
【０００５】
調光制御回路８０４２は、整流平滑回路８０４１で平滑化された電力の電圧値を１／３０程度に降圧し、降圧後の電圧値がＬＥＤユニット８００の最低点灯電圧以上の場合に、電力をＩＰＤ８０４３のＥＸへと出力する。この場合、ＩＰＤ８０４３は、ＦＥＴ８０４３ａをＯＮとし、ＬＥＤユニット８００を点灯させる。
一方、調光制御回路８０４２は、降圧後の電圧値がＬＥＤユニット８００の最低点灯電圧を下回っている場合、ＩＰＤ８０４３のＥＸへの出力を行わず、ＩＰＤ８０４３のＦＥＴ８０４３ａがＯＦＦとなり、ＬＥＤユニット８００が消灯する。
【０００６】
ここで、ＬＥＤユニット８００の最低点灯電圧は、ＬＥＤユニット８００におけるＬＥＤの直列接続数に比例する値をとる。例えば、ＬＥＤの直列接続数が２４［個］の場合には、個々のＬＥＤの最低点灯電圧が２．３［Ｖ］であるので、５５．２［Ｖ］（＝２．３［Ｖ］×２４［個］）となる。
【特許文献１】特開２００８−０９１１４０号公報
【特許文献２】特開２００８−１０３１１２号公報
【発明の開示】
【発明が解決しようとする課題】
【０００７】
しかしながら、電球形ＬＥＤランプ８０を調光器９０に接続して用いる場合には、調光器９０の調光つまみを“０”にした場合にも、主電源スイッチをＯＦＦにするまでの間は、電球形ＬＥＤランプ８０における調光制御回路８０４１に電力が供給された状態が続く。即ち、上記のようにＬＥＤユニット８００は、電圧値が最低点灯電圧を下回った場合には消灯するが、調光器９０から電球形ＬＥＤランプ８０に対しては、約２０［Ｖ］の電圧の電力供給が続く。この場合において、ユーザは、ＬＥＤユニット８００の消灯により、電球形ＬＥＤランプ８０への電力の供給が停止されたものと誤認してしまうことがある。
【０００８】
更なる省エネルギ化が求められている現在、ＬＥＤユニット８００が消灯しているにもかかわらず、電気エネルギが消費されているという事態を回避する必要がある。
なお、このような問題は、ＬＥＤを光源とする電球形ランプに限らず、例えば、蛍光ランプを始めとする電球形ランプにおいても同様に生じることも考えられる。
本発明は、上記問題の解決を図るべくなされたものであって、位相制御方式による調光器の接続に伴うランプ消灯時における電気エネルギの消費について、ユーザに認知させ、更なる省エネルギ化を図ることができる電球形ランプおよび照明装置を提供することを目的とする。
【課題を解決するための手段】
【０００９】
本発明は、上記目的を達成するために、次の構成を採用することとした。
本発明に係る電球形ランプは、位相制御された交流電力の供給を受け、当該供給された交流電力を整流平滑して直流電力に変換する整流平滑部と、この整流平滑された直流電力の電圧を、上記交流電力の位相角に応じた電圧に降圧または昇降圧する制御部と、制御部で降圧または昇降圧された電力の供給を受けて点灯する照明用光源とを有する。そして、本発明に係る電球形ランプは、制御部が、降圧または昇降圧された電力の電圧値が予め設定された閾値以上の場合に、照明用光源へ電力を供給し、降圧または昇降圧された電力の電圧値が上記閾値よりも低く、且つ、０［Ｖ］よりも高い場合に、照明用光源への電力供給を停止するとともに、前記降圧または昇降圧された電力の電圧値が０［Ｖ］よりも高い旨の警報を外部に発することを特徴とする。
【００１０】
また、本発明に係る照明装置は、上記電球形ランプを備えることを特徴とする。
【発明の効果】
【００１１】
上記のように、本発明に係る電球形ランプでは、制御部が降圧または昇降圧された電力の電圧値を監視しており、当該電圧値が予め設定された閾値よりも低くなった場合に、照明用光源への電力供給を停止し（電力流通路が開状態）、且つ、ユーザに対して上記警報を発する。このため、ユーザは、発っせられた警報により、複数のＬＥＤは消灯しているが、電球形ランプにおいて降圧または昇降圧された電力の電圧値が０［Ｖ］よりも高い旨、即ち、待機エネルギが消費されていることを認識することができる。
【００１２】
よって、本発明に係る電球形ランプでは、位相制御により交流電力の波形の一部をカットする位相制御調光器に接続された場合においても、照明用光源が消灯された後も待機エネルギが消費されていることをユーザに認識させ、ユーザが調光器の主電源スイッチをＯＦＦにすることで、更なる省エネルギ化を図ることが可能となる。
本発明に係る照明装置は、上記本発明に係る電球形ランプを備えているので、上記同様に、省エネルギ化を図ることに効果を奏する。
【００１３】
上記本発明に係る電球形ランプおよびこれを備える照明装置は、次のようなバリエーションを採用することができる。
上記本発明に係る電球形ランプおよびこれを備える照明装置では、整流平滑部が非絶縁型である、という構成を採用する場合、特に省エネルギ効果を奏することができる。
上記本発明に係る電球形ランプおよびこれを備える照明装置では、制御部に、照明用光源とは別に、警告用光源を設けておき、上記警報が、警報用光源を点灯させることにより発せられる、という構成を採用することができる。
【００１４】
また、上記本発明に係る電球形ランプおよびこれを備える照明装置では、照明用光源と、警報用光源とが、互いの出射光の色が相違する、という構成を採用することができる。なお、省エネルギ化の促進という観点から、照明用光源および警報用光源の双方を、ＬＥＤからなる構成とすることが望ましい。
上記本発明に係る電球形ランプおよびこれを備える照明装置では、制御部が、照明用光源への電力供給路中に介挿されたスイッチング素子を含み、このスイッチング素子が、電力供給路の開閉動作を実行することにより電力の供給と停止を切り替える、という構成を採用することができる。
【００１５】
また、上記本発明に係る電球形ランプおよび照明装置では、照明用光源が直列接続された複数のＬＥＤから構成されている、という構成を採用することができる。この場合、その直列接続数がｎ［個］であり、複数のＬＥＤにおける各々の点灯開始電圧がＶｆ［Ｖ］であるとき、閾値が、（ｎ×Ｖｆ）［Ｖ］により規定されている、という構成を採用することができる。
【発明を実施するための最良の形態】
【００１６】
以下では、本発明を実施するための最良の形態について、数例を示して説明する。なお、以下の説明で用いる形態は、本発明の構成および作用・効果を分かりやすく説明するために用いる一例であって、本発明は、その本質的な特徴部分以外において、何ら以下の形態に限定を受けるものではない。
［実施の形態］
１．照明装置１の構成
実施の形態に係る照明装置１の構成について、図１を用い説明する。
【００１７】
図１に示すように、照明装置１は、電球形ＬＥＤランプ１０と、当該電球形ＬＥＤランプ１０の装着を受け入れるソケット２０と、ソケット２０に接続された調光器３０とを主な要素として構成されている。電球形ＬＥＤランプ１０は、Ｅ型口金を有するものであり、ＬＥＤを照明光源として有する。電球形ＬＥＤランプ１０の詳細構成については、後述する。
【００１８】
ソケット２０に接続された調光器３０は、商用電源（図示を省略。）から交流電力の供給を受ける。調光器３０は、位相制御（トライアック制御）方式を用いて調光するものであり、調光つまみ３１と主電源スイッチ３２とが設けられている。ユーザは、先ず主電源スイッチ３２をＯＮにし、次に調光つまみ３１を用いて調光を行う。ユーザが調光つまみ３１を左に回しきった状態で電球形ＬＥＤランプ１０が消灯し、右に回しきった状態で電球形ＬＥＤランプ１０が１００［％］の点灯状態となる。
【００１９】
２．電球形ＬＥＤランプ１０の構成
照明装置１における電球形ＬＥＤランプ１０の構成について、図２を用い説明する。
図２に示すように、電球形ＬＥＤランプ１０では、照明用ＬＥＤユニット１００を照明光源として備える。照明用ＬＥＤユニット１００は、複数のＬＥＤ１０１が基板１０２の一方の主面（Ｚ軸方向上側主面）に実装されており、ヒートシンク１０３の底壁外面に載置されている。
【００２０】
ヒートシンク１０３は、椀状をしており、その内部空間１０３ａには、点灯回路ユニット１０４が収納されている。点灯回路ユニット１０４は、ヒートシンク１０３の底壁内面に載置されている。また、ヒートシンク１０３の外周は、樹脂材料などからなるケース１０５により覆われており、ケース１０５のＺ軸方向下端部には、Ｅ型口金１０６が取り付けられている。Ｅ型口金１０６は、側部のネジの部分が一方の端子１０６ａとして構成され、頂部分が他方の端子１０６ｂとして構成されている。
【００２１】
電球形ＬＥＤランプ１０では、ヒートシンク１０３における照明用ＬＥＤユニット１００が載置された底壁外面が、ドーム状のグローブ１０７により覆われている。
なお、図２に示すように、電球形ＬＥＤランプ１０では、照明用ＬＥＤユニット１００の他に、これに並設された状態で警報用ＬＥＤユニット１１０も設けられている。警報用ＬＥＤユニット１１０も、照明用ＬＥＤユニット１００と同様に、ＬＥＤ１０８が基板１０９の一方の主面（Ｚ軸方向上側主面）に実装されてなる。ただし、警報用ＬＥＤユニット１１０では、実装されるＬＥＤ１０８の数が、照明用ＬＥＤユニット１００に比べて少なく、また、その出射色が変えられている。具体的には、照明用ＬＥＤユニット１００は白色光を出射し、警報用ＬＥＤユニット１１０は赤色光を出射する。
【００２２】
３．照明装置１の回路構成
電球形ＬＥＤランプ１０を含む照明装置１の回路構成について、図３を用い説明する。
図３に示すように、調光器３０は、交流電源に接続されており、交流電力の供給を受ける。調光器３０には、上記のように、調光つまみ３１と主電源スイッチ３２とが設けられており（図１を参照。）、ユーザは、主電源スイッチ３２により電源のＯＮ／ＯＦＦの切り替えを行うことができ、また、調光つまみ３１により位相制御での調光を行うことができる。
【００２３】
調光器３０には、電球形ＬＥＤランプ１０における口金の端子１０６ａ，１０６ｂが接続されている。端市１０６ａ，１０６ｂには、点灯回路ユニット１０４を介して照明用ＬＥＤユニット１００および警報用ＬＥＤユニット１１０が接続されている。
点灯回路ユニット１０４は、ダイオードブリッジ型の整流平滑回路１０４１、調光制御回路１０４２、ＩＰＤ（Ｉｎｔｅｌｌｉｇｅｎｔ  Ｐｏｗｅｒ  Ｄｅｖｉｃｅ）１０４３、およびＦＰＤ（Ｆａｓｔ  Ｒｅｃｏｖｅｒｙ  Ｄｉｏｄｅ）１０４４、コイル１０４５を主な構成要素として備える。ここで、ＩＰＤ１０４３は、制御・保護回路と、スイッチング素子としてのＦＥＴ１０４３ａとを集積した素子であって、例えば、パナソニック株式会社製のＭＩＰ５５ＸＸが用いられている。なお、本実施の形態では、非絶縁型の回路構成を採用している。
【００２４】
照明用ＬＥＤユニット１００は、上記のように、複数のＬＥＤが直列接続されて構成されており、コイル１０４５およびＩＰＤ１０４３のＦＥＴ１０４３ａを介する状態で調光制御回路１０４２に接続されている。一方、警報用ＬＥＤユニット１１０も、調光制御回路１０４２に接続されている。
４．照明装置１の点灯動作
照明装置１の点灯動作について、図３に加え、図４および図５を用い説明する。なお、図４は、調光器３０により位相制御された交流波形を示す波形図であり、図５は、制御部としての調光制御回路１０４２が実行する調光制御に係るフロー図である。
【００２５】
先ず、図４（ａ）に示すように、調光器３０の調光つまみ３１が“１００”のとき、即ち、交流波形がカットされていない状態では、整流平滑回路１０４１で整流平滑された電力が、調光制御回路１０４２に供給され、供給を受けた調光制御回路１０４２は、電圧値を１／３０程度に降圧して（図５のステップＳ１）、当該電圧値Ｖｘが予め設定されている照明用ＬＥＤユニット１００の最低点灯電圧値（閾値）Ｖｓに達しているか否かを監視している（図５のステップＳ２）。
【００２６】
調光つまみ３１が“１００”の場合には、調光制御回路１０４２は、（Ｖｘ≧Ｖｓ）であると判断し（図５におけるステップＳ３；Ｙｅｓ）、ＩＰＤ１０４３に対し、ＦＥＴ１０４３ａをＯＮ（閉）状態とさせる（図５のステップＳ５）。これにより照明用ＬＥＤユニット１００が点灯する。
なお、調光つまみ３１が“１００”に場合においては、電球形ＬＥＤランプ１０の最大光量が出射される。
【００２７】
次に、図４（ｂ）に示すように、調光器３０により交流波形の一部がカットされた状態では、点灯回路ユニット１０４における調光制御回路１０４２が、上記同様に、降圧後（図５のステップＳ１）の電圧値Ｖｘが閾値Ｖｓに達していることを判定した上で（図５のステップＳ３；Ｙｅｓ）、照明用ＬＥＤユニット１００を点灯させる。なお、このとき、照明用点灯ユニット１００は、調光器３０の調光つまみ３１の回転量に応じて、その出射光の光量が減ぜられる。
【００２８】
次に、図４（ｃ）に示すように、調光器３０により交流波形の大部分がカットされた状態、即ち、調光つまみ３１が“０”の状態では、調光制御回路１０４２により降圧された後の電圧値Ｖｘが、予め設定された閾値Ｖｓを下回る（図５のステップＳ３；Ｎｏ）。この場合には、調光点灯回路１０４２は、ＩＰＤ１０４３に対し、ＦＥＴ１０４３ａをＯＦＦ（開）とさせる。これにより、照明用ＬＥＤユニット１００は、消灯する。また、この場合には、調光制御回路１０４２は、警報用ＬＥＤユニット１１０を点灯させる（図５のステップＳ６）。
【００２９】
調光制御回路１０４２による上記動作は、調光器３０における主電源スイッチ３２がＯＦＦ状態、即ち、Ｖｘ＝０［Ｖ］となるまで（図５のステップＳ５）続けられる。
５．照明用ＬＥＤユニット１００における最低点灯電圧値Ｖｓ
上記において、調光制御回路１０４２が照明用ＬＥＤユニット１００を点灯させるか、警報用ＬＥＤユニット１１０を点灯させるかの判断の基準となる、照明用ＬＥＤユニット１００の最低点灯電圧値Ｖｓは、次のように規定される。
【００３０】
照明用ＬＥＤユニット１００における個々のＬＥＤ１０１の点灯開始電圧値をＶ１［Ｖ］とし、照明用ＬＥＤユニット１００におけるＬＥＤ１０１の直列接続数をｎ［個］とするとき、照明用ＬＥＤユニット１００の最低点灯電圧値Ｖｓは、（Ｖ１×ｎ）［Ｖ］となる。例えば、Ｖ１＝２．３［Ｖ］、ｎ＝２４［個］とするとき、照明用ＬＥＤユニット１００の最低点灯電圧値Ｖｓ＝２．３×２４＝５５．２［Ｖ］ということになる。
６．優位性
本実施の形態に係る照明装置１では、上記のように、調光器３０における調光つまみ３１が“０”であるが、電球形ＬＥＤランプ１０への供給電気エネルギが持続されている場合において、警報用ＬＥＤユニット１１０から赤色光が出射されることになる。このとき、照明用ＬＥＤユニット１００は消灯しているので、ユーザは、電球形ＬＥＤランプ１０のグローブ１０７を通して、赤色光を確認することができる。そして、これにより、ユーザは、電球形ＬＥＤランプ１０に対して待機エネルギの供給が続いていることを認知し、調光器３０の主電源スイッチ３２をＯＦＦ状態とする動機づけとなる。
【００３１】
従って、本実施の形態に係る照明装置１では、ＬＥＤ１０１による照明であることに加えて、待機エネルギについての認識をユーザにもたせることができ、より一層の省エネルギ化を進める上で優位である。
なお、照明装置１における調光器３０は、白熱電球を対象として既に家庭などに備え付けられているものであり、上記効果は、電球形ＬＥＤランプ１０を既存の調光器３０に接続した場合にも同様に得ることができる。
【００３２】
［変形例］
変形例に係る照明装置について、図６を用い説明する。図６は、本変形例に係る照明装置の回路構成を示すブロック図である。
本変形例に係る照明装置は、上記実施の形態に係る照明装置１に対して、昇降圧コンバータ方式を採用する点である。具体的には、本変形例に係る電球形ＬＥＤランプ４０の点灯回路ユニット４０４では、上記電球形ＬＥＤランプ１０の点灯回路ユニット１０４に対して、ＦＲＤ４０４４およびコイル４０４５の挿設箇所が異なる。それ以外の構成については上記同様である。
【００３３】
本変形例に係る電球形ＬＥＤランプ４０においても、上記実施の形態と同様に、調光器３０の調光つまみ３１（図１を参照。）が“０”であって、主電源スイッチ３２（図１を参照。）が未だＯＦＦ状態とはされていない状態において、照明用ＬＥＤユニット１００が消灯し、且つ、警報用ＬＥＤユニット１１０が点灯する。
ユーザは、上記警報用ＬＥＤユニット１１０の点灯により待機エネルギが消費されていることを認識し、主電源スイッチ３２をＯＦＦとする動機づけとなる。
【００３４】
［その他の事項］
上記実施の形態および変形例では、電球形ＬＥＤランプ１０，４０と調光器３０とを組み合わせた照明装置１として、本発明の特徴を説明したが、調光器３０に関しては白熱電球用に広く採用されている既存のものであるので、実施の形態および変形例の電球形ＬＥＤランプ１０，４０だけを用い、これらを既存の位相制御方式の調光器に接続することでも、上記同様の効果を奏することができる。
【００３５】
また、上記実施の形態では、調光制御回路１０４２が降圧後の電圧値Ｖｘと閾値Ｖｓとを比較することとしたが、整流平滑回路１０４１から出力されてくる直流電圧値を用い、この値に降圧に係る係数を乗じた値と閾値Ｖｓとを比較することとしてもよい。
また、上記実施の形態においては、照明用ＬＥＤユニット１００に直列接続された２４［個］のＬＥＤ１０１が含まれていることとしたが、ＬＥＤ１０１の直列個数については、これに限定を受けるものではない。また、上記実施の形態に係る電球形ＬＥＤランプ１０では、照明用ＬＥＤユニット１００と警報用ＬＥＤユニット１１０との発光色が異なる構成を採用したが、必ずしも発光色を異ならせる必要はない。警報用ＬＥＤユニット１１０については、あくまでもユーザに待機エネルギに関する認識を持たせることができればよい。
【００３６】
また、警報用ＬＥＤユニット１１０は、照明用ＬＥＤユニット１００と混在した形態を採用しているが、警報用ＬＥＤユニット１１０を独立させて配置することもできる。例えば、ケース１０５の側面に１個ないし複数個の警報用ＬＥＤユニット１１０を取り付けることとしてもよい。警報用ＬＥＤユニット１１０については、電球形ＬＥＤランプ１０の点灯方向により、ユーザから視認性が優れていればよく、取り付け位置や取り付け数を限定するものではない。
【００３７】
また、上記実施の形態および変形例では、ユーザへの警報を発する手段の一例として、ＬＥＤの発光を採用したが、必ずしも光によるものでなくてもよい。例えば、音により警報を発することとしてもよいし、ランプの一部に表示装置を設けておき、これに待機エネルギに関する表示を行うこととしてもよい。さらに、ネットワークを介して、ユーザあるいは装置管理者の携帯端末に信号を送出して警報を発することとしてもよい。この場合、無線方式の通信回線を用いることもできるし、電力線を介した有線方式の通信回線を用いることもできる。
【００３８】
また、上記実施の形態および変形例では、電球形ランプの一例として、ＬＥＤ１０１を光源として用いる電球形ＬＥＤランプ１０，４０を採用したが、これに限らず、電球形蛍光ランプなどを採用することも可能である。
また、上記実施の形態では、電球形ＬＥＤランプ１０がＥ型口金１０６を備える構成を一例として採用したが（図２を参照。）、これに限らず、２本の口金ピンを有するタイプや、先端にコネクタが接続されたリード線が延出された形態のものを採用することもできる。
【００３９】
さらに、上記実施の形態では、照明用ＬＥＤユニット１００がグローブ１０７でカバーされた形態の電球形ＬＥＤランプ１０を一例として採用したが、グローブについては、必須の構成要件ではない。
また、点灯回路ユニット４０４では、ＬＥＤドライバとしてＩＰＤ１０４３を使用しているが、その内のＦＥＴ１０４３ａについては、ＩＰＤ１０４３に内蔵されていなくてもよく、外付けタイプとすることもできる。さらに、回路構成が近似するＬＥＤドライバであれば、他のドライバを用いることもできる。
【００４０】
また、最低点灯電圧は、目視でＬＥＤの点灯が確認できるレベルの指標であって、この電圧の設定が設計者の設計基準に基づいて変更することができる。例えば、グローブ１０７が、拡散性を重視して透過率が低いものである場合には、ＬＥＤの点灯開始が目視で確認できる電圧は、上記一例としてあげた電圧値よりも高い電圧値となる。逆に、ＬＥＤの発光効率がさらに高いものとされる場合には、上記電圧値よりも低い電圧値となる。
【産業上の利用可能性】
【００４１】
本発明は、省エネルギ化を実現しながら、既存の調光器にも対応して白熱電球と同等の自然な調光が可能なＬＥＤ照明を実現するのに有用である。
【図面の簡単な説明】
【００４２】
【図１】実施の形態に係る照明装置１の全体構成を示す模式側面図である。
【図２】照明装置１における電球形ＬＥＤランプ１０の要部構成を示す側面図（一部切欠き）である。
【図３】照明装置１の回路構成を示すブロック図である。
【図４】調光器３０から電球形ＬＥＤランプ１０へと供給される電力の電圧波形を示す波形図である。
【図５】電球形ＬＥＤランプ１０の点灯駆動において、調光制御回路１０４２が実行する調光制御方法を示すフロー図である。
【図６】変形例に係る電球形ＬＥＤランプ４０の回路構成を示すブロック図である。
【図７】従来技術に係る電球形ＬＥＤランプ８０の回路構成を示すブロック図である。
【符号の説明】
【００４３】
１．照明装置
１０，４０．電球形ＬＥＤランプ
２０．ソケット
３０．調光器
３１．調光つまみ
３２．主電源スイッチ
１００．照明用ＬＥＤユニット
１０１．ＬＥＤ
１０２．基板
１０３．ヒートシンク
１０４，４０４．点灯回路ユニット
１０５．ケース
１０６．口金
１０７．グローブ
１０８．ＬＥＤ
１０９．基板
１１０．警報用ＬＥＤユニット
１０４１．整流平滑回路
１０４２．調光制御回路
１０４３．ＩＰＤ
１０４４，４０４４．ＦＲＤ
１０４５，４０４５．コイル
【図１】
2010153111.tif 000003
【図２】
2010153111.tif 000004
【図３】
2010153111.tif 000005
【図４】
2010153111.tif 000006
【図５】
2010153111.tif 000007
【図６】
2010153111.tif 000008
【図７】
2010153111.tif 000009